(57)【要約】      （修正有）【課題】トップオープン機能とフロントオープン機能を兼ね備えるキャリーケースを提供する。【解決手段】キャリーケース１に取り付けられた硬質な複数の分割体からなる蓋体１６であって、各分割体１６２、１６３が互いに対して回動可能となるように互いに接続されている、蓋体１６を備える。キャリーケース１はまた、この蓋体１６の複数の分割体１６２、１６３が開閉可能となるように蓋体１６の取付け箇所に沿って設けられたジッパを備える。各分割体１６２、１６３は、概ね水平方向に延びている接続箇所を回動軸として互いに対して回動可能となるように互いに接続されている。【選択図】図２
0003225479.tif 000002
【実用新案登録請求の範囲】
【請求項１】
キャリーケースにおいて、
該キャリーケースに取り付けられた硬質な２つの分割体からなる蓋体であって、各分割体が互いに対して回動可能となるように互いに接続されている、蓋体と、
上記蓋体の２つの分割体が開閉可能となるように上記蓋体の取付け箇所に沿って設けられた蓋体開閉用ジッパと、
を備える、キャリーケース。
【請求項２】
キャリーケースにおいて、
該キャリーケースに取り付けられた硬質な３つ以上の分割体からなる蓋体であって、各分割体が互いに対して回動可能となるように互いに接続されている、蓋体と、
上記蓋体の３つ以上の分割体が開閉可能となるように上記蓋体の取付け箇所に沿って設けられた蓋体開閉用ジッパと、
を備える、キャリーケース。
【請求項３】
各分割体は、概ね水平方向に延びている接続箇所を回動軸として互いに対して回動可能に構成されていることを特徴とする、請求項１又は請求項２に記載のキャリーケース。
【請求項４】
上記蓋体は、該キャリーケースの外面に取り付けられていることを特徴とする請求項１〜３のいずれかに記載のキャリーケース。
【考案の詳細な説明】
【技術分野】
【０００１】
本考案は、トップオープン機能とフロントオープン機能を兼ね備えるキャリーケースに関する。
【背景技術】
【０００２】
現在市販されているキャリーケースには、旅行や出張などの用途に応じて、小型のものから大型のものまで様々な型式のものがあり、旅行者や出張者に限らず、日常的にキャリーケースを普段使いする人も少なくない。
【０００３】
そしてキャリーケース内へ小物品を手軽に出し入れするための機能として、キャリーケースの外面の上側部分のみが回動式に開閉するトップオープン機能がある一方で、キャリーケースの一外面の概ね全体が開閉するフロントオープン機能がある。
【０００４】
しかし、キャリーケースを購入する際には、トップオープン機能を備えるキャリーケースにするか、或いはフロントオープン機能を備えるキャリーケースにするかについて、いずれか一方の機能を選択する必要があり、トップオープン機能とフロントオープン機能の２つの機能を兼ね備えるキャリーケースは、これまでになかった。
【先行技術文献】
【特許文献】
【０００５】
【特許文献１】実用新案登録第３２１１１６９号公報
【特許文献２】実用新案登録第３２２３８６１号公報
【考案の概要】
【考案が解決しようとする課題】
【０００６】
本考案は、トップオープン機能とフロントオープン機能を兼ね備え、用途に応じてトップオープン機能とフロントオープン機能を使い分けることのできるキャリーケースを提供することを目的とする。
【課題を解決するための手段】
【０００７】
キャリーケースにおいて、該キャリーケースに取り付けられた硬質な２つの分割体からなる蓋体であって、各分割体が互いに対して回動可能となるように互いに接続されている、蓋体と、蓋体の２つの分割体が開閉可能となるように蓋体の取付け箇所に沿って設けられた蓋体開閉用ジッパと、を備える、キャリーケースを提供する。
【０００８】
他の実施例においては、キャリーケースにおいて、該キャリーケースに取り付けられた硬質な３つ以上の分割体からなる蓋体であって、各分割体が互いに対して回動可能となるように互いに接続されている、蓋体と、蓋体の３つ以上の分割体が開閉可能となるように蓋体の取付け箇所に沿って設けられた蓋体開閉用ジッパと、を備える、キャリーケースを提供する。
【０００９】
また、各分割体は、概ね水平方向に延びている接続箇所を回動軸として互いに対して回動可能に構成されている。
【００１０】
また、蓋体は、該キャリーケースの外面に取り付けられている。
【００１１】
また、該キャリーケースは、施錠機能部としてのＴＳＡロック部を備え得る（ＴＳＡロック部については、特許文献２を参照されたい）。
【図面の簡単な説明】
【００１２】
【図１】本考案の一実施例におけるキャリーケースを示す斜視図。
【図２】蓋体の第１の分割体が開いている状態を示す斜視図。
【図３】蓋体（つまりすべての分割体）が開いている状態を示す斜視図。
【図４】蓋側シェルの内装材が開いている状態を示す斜視図。
【図５】（ａ）蓋側シェルの内装材が開いている状態と、（ｂ）蓋側シェルが開いている状態を示す斜視図。
【図６】３つの分割体からなる蓋体を示す図。
【図７】３つの分割体からなる蓋体を示す図。
【考案を実施するための形態】
【００１３】
本考案のキャリーケース１について、添付の図面を参照しつつ説明する。
【００１４】
図１に示されるように、キャリーケース１は、概して、蓋側シェル２、身側シェル４、キャリーハンドル６、キャスタ８、持ち手１０及びＴＳＡロック部（施錠機構部）１２を備える。
【００１５】
蓋側シェル２は、シェル開閉用ジッパ１４を使って身側シェル４に対して開閉することができるように構成されている。シェル開閉用ジッパ１４は、蓋側シェル２の開口縁と身側シェル４の開口縁に設けられた一対のエレメント１４２，１４４（図５（ｂ）を参照）及びスライダ１４６，１４６’からなる。図１に示されている実施例においては、スライダ１４６，１４６’のスライダ引手（ファスナートップ）が、ＴＳＡロック部１２の錠穴に係着されている。
【００１６】
一実施例においては、蓋側シェル２の外面の所定の位置に、開閉可能な蓋体１６が設けられている。蓋体１６は複数の分割体１６２，１６３からなり、これらの分割体１６２，１６３は、柔軟な布具（接続具）１８を介して互いに接続されている。他の実施例においては、柔軟な布具１８の代わりに、他の周知の接続具が使用される場合もある。
【００１７】
図１に示される実施例において、蓋体１６は、蓋側シェル２の外面に取り付けられているが、他の実施例においては、身側シェル４の外面に蓋体１６が取り付けられる場合もある。さらに他の実施例においては、キャリーケース１の（外面とは限らず）内側に蓋体１６が取り付けられる場合もある。
【００１８】
蓋体１６は、蓋体開閉用ジッパ２０を使って開閉することができる。蓋体開閉用ジッパ２０は、蓋体１６の取付け箇所に沿って設けられた一対のエレメント２０２，２０４（図２を参照）及びスライダ２０６，２０６’からなる。蓋体開閉用ジッパ２０のスライダ２０６，２０６’のスライダ引手（ファスナートップ）は、ＴＳＡロック部１２に係着されるように構成されている。
【００１９】
図２（ａ）は、蓋体１６の第１の分割体１６２が手前に開いている状態を示す。キャリーケース１の使用者が第１の分割体１６２を開くためには、ＴＳＡロック部１２に施錠されたスライダ２０６を解錠する。そして、図２（ｂ）に示されるスライダ２０６の位置まで矢印Ａ方向へスライダ２０６が開操作されると、蓋体１６の取付け箇所に沿って設けられたジッパの一対のエレメント２０２，２０４の噛合が解除され、第１の分割体１６２を開閉することができるようになる。
【００２０】
図３は、キャリーケース１の蓋体１６が全開している状態を示す。蓋体１６の開け方について説明すると、使用者がＴＳＡロック部１２に施錠されたスライダ２０６，２０６’（図１を参照）を解錠して、一方のスライダ２０６を全開位置まで開操作するとともに、他方のスライダ２０６’を全開位置まで開操作する。すると、蓋体１６の取付け箇所に沿って設けられたジッパの一対のエレメント２０２，２０４の噛合が解除され、支持材２２を支点として蓋体１６を片開きに開閉することができるようになる。支持材２２としては、布具等の柔軟材料がある。図３に示される実施例においては、蓋体１６の開度の限界が規制ベルト２４によって拘束されている。
【００２１】
蓋体１６を全開にすることはフロントオープン機能の発揮に該当し、図２（ａ）に示したように第１の分割体１６２のみを開閉することはトップオープン機能の発揮に該当する。換言すれば、使用者は、キャリーケース１の蓋体１６を大きく開くか或いは小さく開くかのいずれかを選択して開閉することができ、蓋体１６の裏面に設けられたポケット２６や、蓋側シェル２の内装材２８に設けられたネット状ポケット３０内にアクセスして荷物を収納することができる。
【００２２】
図４に示される実施例においては、内装材開閉用ジッパ２９のスライダ２９６が開操作され、蓋側シェル２の内装材２８の上側２８’が手前に開いている。一実施例においては、使用者が蓋側シェル２の内装材２８’を手前に引くと、キャリーケース１の収納室３４へ通じる開口が現れ、その収納室３４内へ物品（荷物）を入れることができるようになる。
【００２３】
図５（ａ）に示される実施例においては、蓋側シェル２内に内装材２８が設けられている。また、蓋側シェル２の内装材２８にネット状ポケット３６が配置されている。（図４に示したように）使用者が蓋側シェル２の内装材２８’を手前に引くと、キャリーケース１の収納室３４へ通じる開口が現れ、開口を通して蓋側シェル２の内装材２８のネット状ポケット３６内に荷物を収納することができるようになる。
【００２４】
図５（ｂ）においては、身側シェル４に対して蓋側シェル２が開いている。使用者がシェル開閉用ジッパ１４のスライダ１４６，１４６’（図１を参照）を全開させるように開操作すると、蓋側シェル２と身側シェル４との合わせ目に沿って設けられたジッパの一対のエレメント１４２，１４４の噛合が解除され、身側シェル４に対して蓋側シェル２を開閉することができるようになる。
【００２５】
図６に示される実施例においては、蓋体１６が３つの分割体からなる。蓋体１６の上側半分くらいまでに第１の分割体１６４と第２の分割体１６６があり、これらの第１の分割体１６４と第２の分割体１６６とが柔軟な布具（接続具）４０を介して連結されている。
【００２６】
図６（ａ）に示される蓋体１６の第１の分割体１６４のみの開閉について説明する。使用者は、ＴＳＡロック部１２に施錠されたスライダ２０６を解錠し、図６（ｂ）に示されるスライダ２０６の位置まで矢印Ｂ方向へ開操作する。すると、蓋体１６の取付け箇所に沿って設けられたジッパの一対のエレメント２０２，２０４の噛合が解除される。これにより、第１の分割体１６４のみを開閉することができるようになる。
【００２７】
図６（ｃ）に示される蓋体１６の第１の分割体１６４と第２の分割体１６６の両方の開閉について説明する。使用者は、ＴＳＡロック部１２に施錠されたスライダ２０６を解錠し、図６（ｄ）に示されるスライダ２０６の位置まで矢印Ｃ方向へ開操作する。すると、蓋体１６の取付け箇所に沿って設けられたジッパの一対のエレメント２０２，２０４の噛合が解除される。これにより、第１の分割体１６４と第２の分割体１６６の両方を開閉することが可能となる。
【００２８】
図７に示される実施例においても、キャリーケース１の蓋体１６が３つの分割体１６８，１６９，１７０からなる。蓋体１６の上側３分の１くらいに第１の分割体１６８が配置され、蓋体１６の下側３分の１くらいに第２の分割体１６９が配置されており、これらの中間に第３の分割体１７０が配置されている。第１の分割体１６８、第２の分割体１６９、及び第３の分割体１７０は、柔軟な布具（接続具）４４，４６を介して連結されている。
【００２９】
図７（ａ）に示される第１の分割体１６８と第２の分割体１６９の開閉について説明すると、使用者は、ＴＳＡロック部１２に施錠されたスライダ２０６，２０６’（図１を参照）を解錠し、該スライダ２０６，２０６’を開操作する。そして図７（ｂ）に示されるように、スライダ２０６が矢印Ｄ方向へ開操作されて接続具４４を越えた位置となるとともに、もう１つのスライダ２０６’が矢印Ｅ方向へ開操作されて接続具４６を越えた位置となると、蓋体１６の取付け箇所に沿って設けられた１つ又は複数のジッパの一対のエレメント２０２，２０４の噛合が解除され、第１の分割体１６８と第２の分割体１６９のいずれかを開閉することが可能となる。
【００３０】
以上のように本考案のキャリーケース１は、２段式（或いは、多段式）に蓋体１６を開閉することができるものである。すなわち、本考案のキャリーケース１は、トップオープン機能とフロントオープン機能を兼ね備え、これら２つの機能を使用者の用途に応じて使い分けることができるように構成されている。
【符号の説明】
【００３１】
１…キャリーケース
２…蓋側シェル
４…身側シェル
６…キャリーハンドル
８…キャスタ
１０…持ち手
１２…ＴＳＡロック部（施錠機構部）
１４…シェル開閉用ジッパ
１６…蓋体
１８…接続具
２０…蓋体開閉用ジッパ
２２…支持材
２４…規制ベルト
２６…ポケット
２８…内装材
２８’…内装材（内装材２８の上側）
２９…内装材開閉用ジッパ
２９２…エレメント
２９４…エレメント
２９６…スライダ
２９６’…スライダ
３０…ネット状ポケット
３２…折曲部
３４…収納室
３６…ネット状ポケット
３８…内装材
４０…接続具
４２…接続具
４４…接続具
４６…接続具
１４２…エレメント
１４４…エレメント
１４６…スライダ
１４６’…スライダ
１６２…第１の分割体
１６３…第２の分割体
１６４…第１の分割体
１６６…第２の分割体
１６８…第１の分割体
１６９…第２の分割体
１７０…第３の分割体
２０２…エレメント
２０４…エレメント
２０６…スライダ
２０６’…スライダ
【図１】
0003225479.tif 000003
【図２】
0003225479.tif 000004
【図３】
0003225479.tif 000005
【図４】
0003225479.tif 000006
【図５】
0003225479.tif 000007
【図６】
0003225479.tif 000008
【図７】
0003225479.tif 000009